(57)【要約】【課題】従来よりも寿命が長く、制御が簡易であり、消費電力が低減された空気調和機を得ること。【解決手段】電源線４、共通線５及び信号線６の３線で接続された室内機２と室外機３のいずれか一方に供給された商用電源７を他方にも供給可能な空気調和機１であって、室内機２は、室外機起動時以外には開放され、電源線４と信号線６の間を開閉可能な室外起動リレー１４を備え、室外機３は、停止中には開放され、商用電源７と室外制御部２２を該室外制御部２２からの指令によって接続する室外リレー２５と、共通線５と信号線６に交流電力を供給すると直流電力を生成する半波整流直流電源２８と、室外機３の起動時以外には開放され、半波整流直流電源２８が直流電力を生成すると、商用電源７と室外制御部２２を接続する構成を備える電源供給リレー２６と、を備える。【選択図】図１
2014152968.tif 000002
【特許請求の範囲】
【請求項１】
室内機と室外機を備え、
該室内機と該室外機は、電源線、共通線及び信号線の３線で接続され、
該室内機及び該室外機のいずれか一方に供給された商用電源の電力を他方にも供給可能な空気調和機であって、
前記室内機は、
室外機起動時以外には開放され、前記電源線と前記信号線の間を開閉可能な室外起動リレーを備え、
前記室外機は、
停止中には開放され、前記商用電源と室外制御部を該室外制御部からの指令によって接続する室外リレーと、
前記共通線と前記信号線に交流電力を供給すると直流電力を生成する直流電源と、
室外機起動時以外には開放され、前記直流電源が直流電力を生成すると、前記商用電源と前記室外制御部を接続する構成を備える電源供給リレーと、を備え、
前記商用電源をオンすると、
前記室内制御部に交流電力が供給され、前記室内機が外部から運転指令を受けると、前記室外起動リレーを介して前記電源線と前記信号線を接続し、
前記直流電源に交流電力が供給されて直流電力が生成され、
前記電源供給リレーが閉じ、
前記室外制御部からの指令によって前記室外リレーが閉じ、
前記室外起動リレーが開放されて前記電源線と前記信号線の間を開放し、
前記電源供給リレーが開放されることを特徴とする空気調和機。
【請求項２】
複数の室内機と１つの室外機を備え、
該室内機のそれぞれと該室外機は、電源線、共通線及び信号線の３線で接続され、
該室外機に供給された商用電源を該室内機のそれぞれにも供給可能な空気調和機であって、
前記室内機のそれぞれは、
室外機起動時以外には開放され、前記電源線と前記信号線の間を開閉可能な室外起動リレーをそれぞれ備え、
前記室外機は、
停止中には開放され、前記商用電源と室外制御部を該室外制御部からの指令によって接続する室外リレーと、
前記共通線と前記信号線に交流電力を供給すると直流電力を生成する、前記室内機の数と同数の直流電源と、
室外機起動時以外には開放され、前記直流電源が直流電力を生成すると、前記商用電源と前記室外制御部を接続する構成を備える電源供給リレーと、を備え、
前記商用電源をオンすると、
前記室内制御部に交流電力が供給され、前記室内機が外部から運転指令を受けると、前記室外起動リレーを介して前記電源線と前記信号線を接続し、
前記直流電源に交流電力が供給されて直流電力が生成され、
前記電源供給リレーが閉じ、
前記室外制御部からの指令によって前記室外リレーが閉じ、
前記室外起動リレーが開放されて前記電源線と前記信号線の間を開放し、
前記電源供給リレーが開放されることを特徴とする空気調和機。
【請求項３】
複数の室内機と１つの室外機を備え、
該室内機のそれぞれと該室外機は、電源線、共通線及び信号線の３線で接続され、
該室外機に供給された商用電源を該室内機のそれぞれにも供給可能な空気調和機であって、
前記室内機のそれぞれは、
室外機起動時以外には開放され、前記電源線と前記信号線の間を開閉可能な室外起動リレーをそれぞれ備え、
前記室外機は、
停止中には開放され、前記商用電源と室外制御部を該室外制御部からの指令によって接続する室外リレーと、
前記共通線と前記信号線に交流電力を供給すると直流電力を生成する、１つの直流電源と、
室外機起動時以外には開放され、前記直流電源が直流電力を生成すると、前記商用電源と前記室外制御部を接続する構成を備える電源供給リレーと、を備え、
前記商用電源をオンすると、
前記室内制御部に交流電力が供給され、前記室内機が外部から運転指令を受けると、前記室外起動リレーを介して前記電源線と前記信号線を接続し、
前記直流電源に交流電力が供給されて直流電力が生成され、
前記電源供給リレーが閉じ、
前記室外制御部からの指令によって前記室外リレーが閉じ、
前記室外起動リレーが開放されて前記電源線と前記信号線の間を開放し、
前記電源供給リレーが開放されることを特徴とする空気調和機。
【発明の詳細な説明】
【技術分野】
【０００１】
本発明は、空気調和機に関する。
【背景技術】
【０００２】
従来の空気調和機は、例えば、電源線、共通線、信号線の３線で接続された室内機と室外機を備え、室内機は、電源線と信号線の間を開閉する室外起動リレーを備え、室外機は、商用電源と室外機（の室外制御部）との間を開閉する電源供給リレー（突入電流防止リレー及び室外リレー）と、信号線と電源供給リレーコイル（突入電流防止リレーコイル）の間を開閉する電源供給遮断リレーと、を備え、空気調和機の停止中には、電源供給リレー（突入電流防止リレー及び室外リレー）を開放して室外機への給電を停止し、空気調和機の運転開始時には、室外起動リレーを閉じることで電源供給リレー（突入電流防止リレー及び室外リレー）を閉じて室外機へ給電し、室内機と室外機の通信を開始する前に電源供給遮断リレーを開く構成である（例えば、特許文献１を参照）。このような構成とすることで、室内機と室外機が３線で接続されていても、空気調和機の停止時に室外機への給電を停止可能であるため、待機電力を低減することができるとされている。
【先行技術文献】
【特許文献】
【０００３】
【特許文献１】特開２０１０−２４３０５１号公報
【発明の概要】
【発明が解決しようとする課題】
【０００４】
しかしながら、上記従来の技術によれば、室内機と室外機が通信するときには電源供給遮断リレーを開くため、開閉に伴う電源供給遮断リレーの機械的劣化（磨耗、破損など）による寿命の低下が不可避である。また、電源供給遮断リレーを開閉するために、制御が複雑化し、電源供給遮断リレーの開閉に際して電力を消費するという問題があった。
【０００５】
本発明は、上記に鑑みてなされたものであって、従来よりも寿命が長く、制御が簡易であり、消費電力が低減された空気調和機を得ることを目的とする。
【課題を解決するための手段】
【０００６】
上述した課題を解決し、目的を達成するために、本発明の空気調和機は、室内機２と室外機３を備え、該室内機２と該室外機３は、電源線４、共通線５及び信号線６の３線で接続され、該室内機２及び該室外機３のいずれか一方に供給された商用電源７の電力を他方にも供給可能な空気調和機１であって、前記室内機２は、室外機起動時以外には開放され、前記電源線４と前記信号線６の間を開閉可能な室外起動リレー１４を備え、前記室外機３は、停止中には開放され、前記商用電源７と室外制御部２２を該室外制御部２２からの指令によって接続する室外リレー２５と、前記共通線５と前記信号線６に交流電力を供給すると直流電力を生成する（半波整流）直流電源２８と、室外機３の起動時以外には開放され、前記（半波整流）直流電源２８が直流電力を生成すると、前記商用電源７と前記室外制御部２２を接続する構成を備える電源供給リレー２６と、を備え、前記商用電源７をオンすると、前記室内制御部１２に交流電力が供給され、前記室内機２が外部から運転指令を受けると、前記室外起動リレー１４を介して前記電源線４と前記信号線６を接続し、前記（半波整流）直流電源２８に交流電力が供給されて直流電力が生成され、前記電源供給リレー２６が閉じ、前記室外制御部２２からの指令によって前記室外リレー２５が閉じ、前記室外起動リレー１４が開放されて前記電源線４と前記信号線６の間を開放し、前記電源供給リレー２６が開放されることを特徴とする。
【発明の効果】
【０００７】
本発明によれば、従来よりも寿命が長く、制御が簡易であり、消費電力が低減された空気調和機を得ることができるという効果を奏する。
【図面の簡単な説明】
【０００８】
【図１】図１は、実施の形態１にかかる空気調和機の電装系統を示すブロック図である。
【図２】図２は、実施の形態１にかかる空気調和機が備える室内通信部を示すブロック図である。
【図３】図３は、実施の形態１にかかる空気調和機が備える室外通信部を示すブロック図である。
【図４】図４は、実施の形態１にかかる空気調和機が備える半波整流直流電源を示すブロック図である。
【図５】図５は、実施の形態２にかかる空気調和機の電装系統を示すブロック図である。
【図６】図６は、実施の形態３にかかる空気調和機の電装系統を示すブロック図である。
【図７】図７は、実施の形態４にかかる空気調和機の電装系統を示すブロック図である。
【図８】図８は、実施の形態４にかかる空気調和機が備える半波整流直流電源を示すブロック図である。
【発明を実施するための形態】
【０００９】
以下に、本発明にかかる空気調和機の実施の形態を図面に基づいて詳細に説明する。なお、この実施の形態によりこの発明が限定されるものではない。
【００１０】
実施の形態１．
図１は、本発明にかかる空気調和機の実施の形態１の電装系統を示すブロック図である。図１に示す空気調和機１は、室内機２と室外機３を備える。
【００１１】
室内機２は、室内端子台１１と、室内制御部１２と、室内通信部１３と、室外起動リレー１４と、を備える。室内端子台１１は、端子Ｓ１１，Ｓ１２，Ｓ１３を備える。なお、図示していないが、室内機２は、室内熱交換器、室内ファン、センサー、表示部なども備える。
【００１２】
室外機３は、室外端子台２１と、室外制御部２２と、室外通信部２３と、室外電源端子台２４と、室外リレー２５と、電源供給リレー２６と、電源供給リレーコイル２７と、半波整流直流電源２８と、通信用直流電源２９と、を備える。室外端子台２１は、端子Ｓ２１，Ｓ２２，Ｓ２３を備える。室外電源端子台２４は、端子Ｌ，Ｎを備える。なお、図示していないが、室外機３は、室外熱交換器、圧縮機、室外ファン、リニア電子膨張弁、四方弁、センサー、表示部なども備える。
【００１３】
室内端子台１１と室外端子台２１は、電源線４、共通線５、信号線６の３線で接続されている。電源線４は、端子Ｓ１１と端子Ｓ２１を接続している。共通線５は、端子Ｓ１２と端子Ｓ２２を接続している。信号線６は、端子Ｓ１３と端子Ｓ２３を接続している。端子Ｌと端子Ｎには、商用電源７が接続されている。端子Ｌには、端子Ｓ２１が接続されている。端子Ｎには、端子Ｓ２２が接続されている。そのため、端子Ｌ，Ｎに接続された商用電源７から供給された交流電力は、電源線４と共通線５を介して室内機２にも供給される。
【００１４】
まず、室内機２が備える各構成について説明する。室内制御部１２は、室内機２の動作を制御する。室内制御部１２には、電源線４と共通線５を介して、端子Ｓ１１と端子Ｓ１２から交流電力が供給される。なお、室内制御部１２には、リモコン受信部が含まれており、交流電力の入力側に整流部が設けられていてもよい。
【００１５】
室内通信部１３は、室外機３と通信を行う。室内通信部１３の一端は端子Ｓ１２に接続され、室外機３の起動時以外には、他端は室外起動リレー１４を介して、端子Ｓ１３に接続されている。そのため、室内通信部１３は、室外機３の起動時以外には、端子Ｓ１２と端子Ｓ２２に接続された共通線５と、端子Ｓ１３と端子Ｓ２３に接続された信号線６と、を介して室外機３と通信を行う。
【００１６】
室外起動リレー１４は、室内通信部１３、端子Ｓ１１、端子Ｓ１３の間に配されたリレーである。室外起動リレー１４は、室外機３の起動時以外には室内通信部１３と端子Ｓ１３を接続し、室外機３の起動時には、室内制御部１２によって、端子Ｓ１１と端子Ｓ１３を接続するように切り替えが可能な構成である。
【００１７】
次に、室外機３の構成について説明する。室外制御部２２は、室外機３の動作を制御する。なお、室外制御部２２には、交流電力の入力側に整流部が設けられていてもよい。
【００１８】
室外通信部２３は、室内機２と通信を行う。室外通信部２３の一端は端子Ｓ２３に接続され、他端は通信用直流電源２９に接続されている。
【００１９】
室外リレー２５は、端子Ｌと室外制御部２２の間に配されたリレーである。室外リレー２５は、停止時には開放されており、室外制御部２２によって開閉が制御される。
【００２０】
電源供給リレー２６は、室外リレー２５と並列に接続されるよう配されたリレーである。電源供給リレー２６は、室外機３の起動時以外には開放されており、電源供給リレーコイル２７によって開閉が制御される。なお、電源供給リレー２６と直列に突入電流防止抵抗が設けられていてもよい。
【００２１】
電源供給リレーコイル２７は、半波整流直流電源２８に接続されたリレーコイルである。電源供給リレーコイル２７は、半波整流直流電源２８から直流電力が供給されると、電源供給リレー２６を閉じる。
【００２２】
半波整流直流電源２８は、直流電力を生成する。半波整流直流電源２８は、端子Ｓ２２と端子Ｓ２３の間に配されており、端子Ｓ２２に印加される電圧が端子Ｓ２３に印加される電圧よりも高い場合に直流電力を生成する。
【００２３】
通信用直流電源２９は、交流電力が供給されると、室外通信部２３に直流電力を供給する。通信用直流電源２９の一端は端子Ｓ２２に接続され、他端は室外リレー２５及び電源供給リレー２６と室外制御部２２との間に配されている。室外リレー２５及び電源供給リレー２６の少なくとも一方が閉じると、商用電源７から通信用直流電源２９に交流電力が供給され、通信用直流電源２９が、室外通信部２３に直流電力を供給する。なお、通信用直流電源２９が室外通信部２３へ供給する直流電力の電圧は、端子Ｓ２２の電圧よりも高くなる。
【００２４】
図１に示される空気調和機１の室内外通信回路は、室内機２の室内通信部１３、端子Ｓ１２、端子Ｓ１３、室外機３の通信用直流電源２９、室外通信部２３、端子Ｓ２２、端子Ｓ２３により構成されている。
【００２５】
図２は、図１の室内通信部１３を示すブロック図である。図２に示す室内通信部１３は、室内受信ホトカプラ６１と、室内送信ホトカプラ６２と、電流制限抵抗６３と、を備える。室内受信ホトカプラ６１は、電流制限抵抗６３を介して室外起動リレー１４に接続され、室内送信ホトカプラ６２は、端子Ｓ１２に接続されている。室内受信ホトカプラ６１は、室外機３から送信された情報を受信し、室内制御部１２に伝達する。室内送信ホトカプラ６２は、室内制御部１２から伝達された情報を室外機３に送信する。
【００２６】
図３は、図１の室外通信部２３を示すブロック図である。図３に示す室外通信部２３は、室外受信ホトカプラ７１と、室外送信ホトカプラ７２と、電流制限抵抗７３と、を備える。室外受信ホトカプラ７１は、電流制限抵抗７３を介して端子Ｓ２３に接続され、室外送信ホトカプラ７２は、通信用直流電源２９に接続されている。室外受信ホトカプラ７１は、室内機２から送信された情報を受信し、室外制御部２２に伝達する。室外送信ホトカプラ７２は、室外制御部２２から伝達された情報を室内機２に送信する。
【００２７】
図４は、図１の半波整流直流電源２８を示すブロック図である。図４に示す半波整流直流電源２８は、ツェナーダイオード８１と、平滑用コンデンサ８２と、電流制限抵抗８３と、半波整流用ダイオード８４と、を備える。ツェナーダイオード８１のカソードは端子Ｓ２２に接続され、アノードは電流制限抵抗８３を介して半波整流用ダイオード８４のアノードに接続されている。平滑用コンデンサ８２は、ツェナーダイオード８１に並列に接続されている。半波整流用ダイオード８４のアノードは電流制限抵抗８３を介してツェナーダイオード８１のアノードに接続され、カソードは端子Ｓ２３に接続されている。なお、ツェナーダイオード８１のアノードと電流制限抵抗８３の間は、電源供給リレーコイル２７に接続されている。半波整流直流電源２８では、端子Ｓ２２に印加される電圧が端子Ｓ２３に印加される電圧よりも高い場合に、ツェナーダイオード８１のツェナー電圧と概ね等しい電圧の直流電力が生成され、該直流電力が電源供給リレーコイル２７に出力される。
【００２８】
次に、図１に示す空気調和機１の動作について説明する。まず、商用電源７をオンすると、室外電源端子台２４、室外端子台２１、電源線４、共通線５及び室内端子台１１を介して、室内制御部１２に交流電力が供給される。交流電力が供給されると、室内制御部１２は、外部から運転指令を受けることが可能となる。ここで、室外リレー２５と電源供給リレー２６の双方が開放されているため、室外制御部２２には交流電力が供給されない。また、室外起動リレー１４は、室内通信部１３と端子Ｓ１３を接続している。このとき、室内機２がリモコン等によって外部から運転指令を受けると、室外起動リレー１４は、室内制御部１２によって、室内通信部１３と端子Ｓ１３の接続を開放し、端子Ｓ１１と端子Ｓ１３を接続する。端子Ｓ１１と端子Ｓ１３が接続されると、端子Ｓ２２と端子Ｓ２３から半波整流直流電源２８に交流電力が供給され、半波整流直流電源２８が直流電力を生成する。半波整流直流電源２８にて生成された直流電力は、電源供給リレーコイル２７に出力される。直流電力が入力されることにより、電源供給リレーコイル２７は電源供給リレー２６を閉じる。電源供給リレー２６は、直流電力が入力されている間、閉じる構成である。電源供給リレー２６が閉じると、端子Ｌと室外制御部２２が接続され、室外制御部２２にも室外電源端子台２４から交流電力が供給され、室外制御部２２が動作を開始する。動作を開始した室外制御部２２は、室外リレー２５を閉じる。
【００２９】
その後、室内制御部１２は、室外起動リレー１４を切り替えて、室内通信部１３と端子Ｓ１３を接続する。すると、半波整流直流電源２８への交流電力の供給が停止し、電源供給リレーコイル２７への直流電力の供給が停止し、電源供給リレー２６は開放される。しかし、室外リレー２５が閉じているため、端子Ｌと室外制御部２２は接続されたままであり、室外制御部２２及び通信用直流電源２９には交流電力が供給され続ける。
【００３０】
このように、室外リレー２５及び電源供給リレー２６の少なくとも一方が閉じていれば、通信用直流電源２９には交流電力が供給され続ける。通信用直流電源２９に交流電力が供給されている間は、通信用直流電源２９は室外通信部２３に直流電力を供給し続ける。そのため、室内機２と室外機３は通信可能であり、空気調和機１を継続して運転させることができる。
【００３１】
なお、通信用直流電源２９は、室外端子台２１の端子Ｓ２２よりも高い電圧を室外通信部２３に供給する。通信用直流電源２９からの直流電力によって、室内外通信回路内の電流は、通信用直流電源２９から室外通信部２３へ、室外通信部２３から端子Ｓ２３へ、端子Ｓ２３から信号線６を介して端子Ｓ１３へ、端子Ｓ１３から室外起動リレー１４へ、室外起動リレー１４から室内通信部１３へ、室内通信部１３から端子Ｓ１２へ、端子Ｓ１２から共通線５を介して端子Ｓ２２へ、端子Ｓ２２から通信用直流電源２９へと流れる。
【００３２】
上述のように、通信時には、端子Ｓ２３の電圧は端子Ｓ２２の電圧よりも高くなる。半波整流直流電源２８には、半波整流用ダイオード８４が設けられており、電流は端子Ｓ２３から端子Ｓ２２へは流れない。そのため、通信時には、半波整流直流電源２８には電流が流れず、室内外通信回路における通信が阻害されることはない。
【００３３】
空気調和機１の運転停止時には、室外制御部２２が室外リレー２５を開放する。すると、室外リレー２５と電源供給リレー２６の双方が開放されることになるため、室外制御部２２に交流電力が供給されなくなる。同様に、通信用直流電源２９にも交流電力が供給されなくなるため、室内機２と室外機３の通信も停止する。
【００３４】
なお、端子Ｓ２１と端子Ｌは接続されているため、上記接続関係の記載において、端子Ｌを端子Ｓ２１に代え、端子Ｓ２１を端子Ｌに代えてもよいことは当然である。同様に、上記接続関係の記載において、端子Ｎを端子Ｓ２２に代え、端子Ｓ２２を端子Ｎに代えてもよいことは当然である。
【００３５】
以上説明したように、本実施の形態の空気調和機１では、停止時には、室外リレー２５と電源供給リレー２６の双方が開放され、室外制御部２２と通信用直流電源２９に電力が供給されないため、待機電力が削減される。
【００３６】
また、電源供給リレー、電源供給リレーコイル及び半波整流直流電源は、室内外通信回路の通信を阻害しないため、従来例の電源供給遮断リレーに代えて適用することができる。従って、従来例の電源供給遮断リレーが不要となり、開閉に伴う電源供給遮断リレーの機械的劣化（磨耗、破損など）による寿命の低下が起こらず、空気調和機の寿命を長くすることができる。
【００３７】
また、電源供給遮断リレーが不要となることで、室外制御部にて行う制御が簡略化される。制御が簡略化されると、制御仕様の開発工数を削減することもでき、開発期間の短縮も可能となる。
【００３８】
また、電源供給遮断リレーを動作させるための電力消費が不要なため、消費電力を低減することができる。
【００３９】
実施の形態２．
図５は、本発明にかかる空気調和機の実施の形態２の電装系統を示すブロック図である。図５に示す空気調和機では、図１に示す空気調和機とは異なり、商用電源が室内機に接続されている。図５では、図１と同一の部分には同一の符号を付すものとする。
【００４０】
図５の室内機２は、図１の室内機２とは異なり、室内電源端子台１５を備え、室内電源端子台１５には商用電源７が接続されている。また、端子Ｌは端子Ｓ１１に接続され、端子Ｎは端子Ｓ１２に接続されている。
【００４１】
図５の室外機３は、図１の室外機３とは異なり、室外電源端子台を備えず、室外リレー２５の一端及び電源供給リレー２６の一端が端子Ｓ２１に接続され、室外リレー２５の他端及び電源供給リレー２６の他端が室外制御部２２の一端及び通信用直流電源２９の一端に接続され、室外制御部２２の他端及び通信用直流電源２９の他端が端子Ｓ２２に接続されている。
【００４２】
本実施の形態の空気調和機１は、上記の構成に異なる点があるが、実施の形態１の空気調和機１と同様に動作する。
【００４３】
以上説明したように、本発明の空気調和機では、商用電源を室内機に接続することもできる。本実施の形態の空気調和機は、実施の形態１の空気調和機と同様の効果を享受する。
【００４４】
実施の形態３．
図６は、本発明にかかる空気調和機の実施の形態３の電装系統を示すブロック図である。図６に示す空気調和機では、図１に示す空気調和機とは異なり、２台の室内機が備えられている。このように１つの室外機に対して複数の室内機が備えられている構成の空気調和機をマルチ形空気調和機と呼ぶ。図６では、図１と同一の部分には同一の符号を付すものとする。
【００４５】
なお、本実施の形態の空気調和機が備える室内機は２台に限定されず、３台以上設けられていてもよい。室外機には、室内機の数に応じた室外端子台が備えられていればよい。
【００４６】
本実施の形態の室外機３は、室外端子台２１Ａ，２１Ｂと、室外電源端子台２４と、を備え、室外端子台２１Ａは、端子Ｓ２１〜Ｓ２３を備え、室外端子台２１Ｂは、端子Ｓ４１〜Ｓ４３を備え、室外電源端子台２４は、端子Ｌと端子Ｎを備える。また、室外通信部２３に代えて室外通信部２３Ａを備え、半波整流直流電源２８に代えて半波整流直流電源２８Ａを備える。
【００４７】
室内機２Ａの室内端子台１１Ａ（端子Ｓ１１〜Ｓ１３）と室外機３の室外端子台２１Ａ（端子Ｓ２１〜Ｓ２３）は、電源線４Ａ、共通線５Ａ、信号線６Ａの３線で接続されており、室内機２Ｂの室内端子台１１Ｂと室外機３の室外端子台２１Ｂは、電源線４Ｂ、共通線５Ｂ、信号線６Ｂの３線で接続されている。
【００４８】
また、端子Ｌと端子Ｓ２１と端子Ｓ４１が接続され、端子Ｎと端子Ｓ２２と端子Ｓ４２が接続されているため、室外電源端子台２４から供給された交流電力は、室外端子台２１Ａ及び室外端子台２１Ｂを介して、室内端子台１１Ａ及び室内端子台１１Ｂから室内機２Ａ及び室内機２Ｂに供給される。
【００４９】
本実施の形態の室外機３は、室外通信部２３Ｂと、半波整流直流電源２８Ｂと、を備える。室外通信部２３Ｂは、端子Ｓ４３及び通信用直流電源２９と室外通信部２３Ａの間に接続されている。半波整流直流電源２８Ｂは、端子Ｓ４２と端子Ｓ４３の間に配されており、端子Ｓ４２に印加される電圧が端子Ｓ４３に印加される電圧よりも高い場合に直流電力を生成する構成である。また、電源供給リレーコイル２７は、半波整流直流電源２８Ａ，２８Ｂに接続されたリレーコイルである。電源供給リレーコイル２７は、半波整流直流電源２８Ａ，２８Ｂの少なくともいずれか一方から直流電力が供給されると、電源供給リレー２６を閉じる。
【００５０】
室内制御部１２Ａ，１２Ｂは、商用電源７からの交流電力の供給により、外部から運転指令を受けることが可能となる。室外機３では、停止時には、室外リレー２５と電源供給リレー２６が開放されているため、室外制御部２２には交流電力が供給されず、室外制御部２２は動作しない。ここで、室内機２Ａが外部から運転指令を受けると、運転指令を受けた室内機２Ａの室内制御部１２Ａが室外起動リレー１４Ａを動作させて、端子Ｓ１３と室内通信部１３Ａとの接続を開放し、端子Ｓ１１と端子Ｓ１３を接続する。すると、室外機３の端子Ｓ２２と端子Ｓ２３の間から半波整流直流電源２８Ａに交流電力が供給され、直流電力が生成される。このように生成された直流電力が電源供給リレーコイル２７に供給されると、電源供給リレー２６が閉じ、端子Ｌと室外制御部２２を接続し、室外制御部２２が動作する。その後の動作は、実施の形態１と同様である。なお、室内通信部１３Ｂ及び室外起動リレー１４Ｂを備える室内機２Ｂが外部から運転指令を受けた場合も上記と同様に動作する。
【００５１】
本実施の形態の構成においても、電源供給リレー２６、電源供給リレーコイル２７、半波整流直流電源２８Ａ及び半波整流直流電源２８Ｂは、室外機３と、室内機２Ａ及び室内機２Ｂとの通信を阻害しないため、従来例において設けられている電源供給遮断リレーが不要となる。
【００５２】
以上説明したように、本発明の空気調和機では、１つの室外機に複数の室内機を接続することもできる。本実施の形態の空気調和機は、実施の形態１の空気調和機と同様の効果を享受する。
【００５３】
実施の形態４．
図７は、本発明にかかる空気調和機の実施の形態４の電装系統を示すブロック図である。図７に示す空気調和機１では、図６に示す空気調和機１とは異なり、室外機に備えられる半波整流直流電源を１つとする。すなわち、図６における半波整流直流電源２８Ａを半波整流直流電源２８Ｃに代え、端子Ｓ４３にも接続し、半波整流直流電源２８Ｂを削除する。
【００５４】
図８は、図７の半波整流直流電源２８Ｃを示すブロック図である。図８に示す半波整流直流電源２８Ｃは、ツェナーダイオード８１と、平滑用コンデンサ８２と、電流制限抵抗８３と、半波整流用ダイオード８４Ａ，８４Ｂと、を備える。ツェナーダイオード８１のカソードは端子Ｓ２２に接続され、アノードは電流制限抵抗８３を介して半波整流用ダイオード８４Ａ，８４Ｂのアノードに接続されている。平滑用コンデンサ８２は、ツェナーダイオード８１に並列に接続されている。半波整流用ダイオード８４Ａ，８４Ｂのアノードは電流制限抵抗８３を介してツェナーダイオード８１のアノードに接続され、カソードは端子Ｓ２３，Ｓ４３に接続されている。なお、ツェナーダイオード８１のアノードと電流制限抵抗８３の間は、電源供給リレーコイル２７に接続されている。
【００５５】
なお、図７に示す空気調和機に電力を供給したときの動作、運転指令を受けたときの室内機２Ａ，２Ｂの動作は、実施の形態３と同様である。半波整流直流電源２８Ｃは、端子Ｓ２２と端子Ｓ２３の間及び端子Ｓ４２（端子Ｓ２２）と端子Ｓ４３の間に配されているため、端子Ｓ２２または端子Ｓ４２に印加される電圧が端子Ｓ２３または端子Ｓ４３に印加される電圧よりも高い場合に直流電力を生成する。電源供給リレーコイル２７は、半波整流直流電源２８Ｃから直流電力が供給されると、電源供給リレー２６を閉じる。電源供給リレー２６が閉じると、端子Ｌと室外制御部２２が接続され、実施の形態３と同様に動作する。その後の動作は実施の形態１と同様である。
【００５６】
本実施の形態の構成においても、電源供給リレー２６、電源供給リレーコイル２７、半波整流直流電源２８Ｃは、室外機３と、室内機２Ａ及び室内機２Ｂとの通信を阻害しないため、従来例において設けられている電源供給遮断リレーが不要となる。
【００５７】
以上説明したように、本実施の形態の構成を採用することによっても、１つの室外機に複数の室内機を接続することができる。本実施の形態の空気調和機は、実施の形態１の空気調和機と同様の効果を享受する。
【００５８】
さらには、本実施の形態の構成によれば、室外機に接続される室内機の台数が増加する場合にも、半波整流直流電源２８Ｃに備えられる半波整流用ダイオードの個数を単純に増加させればよいため、接続される室内機数の増加に伴うコストの増加と半波整流直流電源によるスペースの増大を抑制することができる。
【００５９】
なお、実施の形態１〜４において、直流電源として半波整流直流電源を例示して説明しているが、本発明はこれに限定されるものではない。室内外通信回路の通信を阻害せず、交流電源の供給により直流電源を生成し、電源供給リレーを閉じることができる直流電源であれば特定の構成に限定されるものではない。
【産業上の利用可能性】
【００６０】
以上のように、本発明にかかる空気調和機は、消費電力を小さくすべき空気調和機に有用である。
【符号の説明】
【００６１】
１  空気調和機、２，２Ａ，２Ｂ  室内機、３  室外機、４，４Ａ，４Ｂ  電源線、５，５Ａ，５Ｂ  共通線、６，６Ａ，６Ｂ  信号線、７  商用電源、１１，１１Ａ，１１Ｂ  室内端子台、１２，１２Ａ，１２Ｂ  室内制御部、１３，１３Ａ，１３Ｂ  室内通信部、１４，１４Ａ，１４Ｂ  室外起動リレー、１５  室内電源端子台、２１，２１Ａ，２１Ｂ  室外端子台、２２  室外制御部、２３，２３Ａ，２３Ｂ  室外通信部、２４  室外電源端子台、２５  室外リレー、２６  電源供給リレー、２７  電源供給リレーコイル、２８，２８Ａ，２８Ｂ，２８Ｃ  半波整流直流電源、２９  通信用直流電源、６１  室内受信ホトカプラ、６２  室内送信ホトカプラ、６３  電流制限抵抗、７１  室外受信ホトカプラ、７２  室外送信ホトカプラ、７３  電流制限抵抗、８１  ツェナーダイオード、８２  平滑用コンデンサ、８３  電流制限抵抗、８４，８４Ａ，８４Ｂ  半波整流用ダイオード。
【図１】
2014152968.tif 000003
【図２】
2014152968.tif 000004
【図３】
2014152968.tif 000005
【図４】
2014152968.tif 000006
【図５】
2014152968.tif 000007
【図６】
2014152968.tif 000008
【図７】
2014152968.tif 000009
【図８】
2014152968.tif 000010